(57)【要約】【課題】離れた場所にある大画面表示部の表示レイアウトを手元のプラント監視制御装置で容易に行えるプラント監視制御システムを提供する。【解決手段】プラント監視制御装置１において、表示部１１とマウスにより大画面表示部２１の表示レイアウトを決定し、大画面装置２の表示制御部２２は、プラント監視制御装置１から情報ＬＡＮ５を介して送信されたレイアウト情報に基づいて、大画面表示部２１の表示レイアウトを再現する。これにより、大画面表示部２１が離れた場所にある場合でも、オペレータの手元にあるプラント監視制御装置１の表示部１１で容易に表示レイアウトを決定することができ、表示レイアウトを保存し再現することも可能である。【選択図】図２
2014102601.tif 000002
【特許請求の範囲】
【請求項１】
第１の表示部を有する第１の監視制御装置と前記第１の表示部よりも面積の大きい第２の表示部を有する第２の監視制御装置を含む複数台の監視制御装置が、通信ネットワークを介して互いに接続されたプラント監視制御システムであって、
前記第１の監視制御装置は、前記第１の表示部を制御する第１の表示制御部と、前記第２の表示部の画面の種類とその画面におけるウィンドウの配置及びサイズを含む表示レイアウトを前記第１の表示部において決定するための第１の入力手段と、前記第１の表示部において決定された前記第２の表示部の表示レイアウトに関するレイアウト情報を取得する第１のレイアウト情報取得部と、前記第１のレイアウト情報取得部が取得したレイアウト情報を格納する第１のレイアウト情報格納部を備え、
前記第２の監視制御装置は、前記第２の表示部を制御する第２の表示制御部を備え、前記第２の表示制御部は、前記第１の監視制御装置から前記通信ネットワークを介して送信されたレイアウト情報に基づいて前記第２の表示部の表示レイアウトを再現することを特徴とするプラント監視制御システム。
【請求項２】
レイアウト情報は、画面ＩＤ及びウィンドウの座標値を含むことを特徴とする請求項１記載のプラント監視制御システム。
【請求項３】
レイアウト情報は、ウィンドウ内のコンテンツの表示サイズ及び表示位置のいずれか一方または両方を含むことを特徴とする請求項２記載のプラント監視制御システム。
【請求項４】
前記第２の監視制御装置は、前記第２の表示部の表示レイアウトに関するレイアウト情報を格納する第２のレイアウト情報格納部を備えたことを特徴とする請求項１記載のプラント監視制御システム。
【請求項５】
前記第２の監視制御装置は、前記第２の表示部の表示レイアウトを前記第２の表示部において決定するための第２の入力手段と、前記第２の表示部の表示レイアウトに関するレイアウト情報を取得する第２のレイアウト情報取得部を備えたことを特徴とする請求項４記載のプラント監視制御システム。
【請求項６】
前記第２の監視制御装置は、前記第２の表示部の表示レイアウトを前記第２の表示部において決定した場合、当該表示レイアウトに関するレイアウト情報を前記通信ネットワークを介して前記第１の監視制御装置に送信し、前記第１の監視制御装置は、前記第２の監視制御装置から受信したレイアウト情報を前記第１のレイアウト情報格納部に格納することを特徴とする請求項５記載のプラント監視制御システム。
【請求項７】
前記第２の監視制御装置は、前回起動時の最後に前記第２の表示部に表示されていた表示レイアウトに関するレイアウト情報を前記第２のレイアウト情報格納部に格納しており、再起動時には、当該レイアウト情報に基づいて前記第２の表示部の表示レイアウトを再現することを特徴とする請求項４記載のプラント監視制御システム。
【発明の詳細な説明】
【技術分野】
【０００１】
本発明は、プラント機器の運転状態を監視し制御するプラント監視制御システムに関し、特に、大画面モニタを備えたプラント監視制御装置における表示レイアウト作業の効率化に関する。
【背景技術】
【０００２】
従来、プラント監視制御装置においては、その表示部（モニタ）にプラント機器の運転状態やプロセス量を表示させ、プラント運転員はこの表示部の画面を監視しながら必要な制御を行っていた。例えば特許文献１には、プラント監視制御装置に保守ツールからオンラインロジックモニタ機能を呼び出し、プラント異常要因に対応する詳細制御演算ロジック図を表示させる機能を設けたプラント運転監視システムが提示されている。
【０００３】
また、監視対象が広範囲に点在する場合や、監視施設の統合、集約により大量の情報を監視する場合には、大型プロジェクター等の大画面表示部を備えたプラント監視制御装置を用意し、この大画面表示部において多くのプラント運転員が情報を共有できるようにしていた。
【先行技術文献】
【特許文献】
【０００４】
【特許文献１】特開２００１−２３６１１８号公報
【発明の概要】
【発明が解決しようとする課題】
【０００５】
上記のような大画面表示部の画面の種類、ウィンドウの配置及びサイズ等の表示レイアウトは、プラント運転員（オペレータ）が大画面表示部を見ながら、その大画面表示部から離れた手元のプラント監視制御装置で操作し、決定していた。このため、オペレータは、大画面表示部から例えば数メートルも離れた位置でマウス操作を行わなければならず、ウィンドウのリサイズのような細かい操作が困難であった。
【０００６】
また、一旦表示レイアウトが完成しても、そのレイアウト情報は大画面表示部を再起動する時にはリセットされており、再起動のたびにレイアウト作業を行う必要があった。このような作業を繰り返すことはオペレータの負担となり、プラント監視効率を低下させる要因となっていた。
【０００７】
本発明は、上記のような課題を解決するためになされたものであり、離れた場所にある大画面表示部の表示レイアウトを手元のプラント監視制御装置で容易に行え、一度完成した表示レイアウトを再現することが可能なプラント監視制御システムを提供することを目的とする。
【課題を解決するための手段】
【０００８】
本発明に係るプラント監視制御システムは、第１の表示部を有する第１の監視制御装置と第１の表示部よりも面積の大きい第２の表示部を有する第２の監視制御装置を含む複数台の監視制御装置が、通信ネットワークを介して互いに接続されたプラント監視制御システムであって、第１の監視制御装置は、第１の表示部を制御する第１の表示制御部と、第２の表示部の画面の種類とその画面におけるウィンドウの配置及びサイズを含む表示レイアウトを第１の表示部において決定するための第１の入力手段と、第１の表示部において決定された第２の表示部の表示レイアウトに関するレイアウト情報を取得する第１のレイ
アウト情報取得部と、第１のレイアウト情報取得部が取得したレイアウト情報を格納する第１のレイアウト情報格納部を備え、第２の監視制御装置は、第２の表示部を制御する第２の表示制御部を備え、第２の表示制御部は、第１の監視制御装置から通信ネットワークを介して送信されたレイアウト情報に基づいて第２の表示部の表示レイアウトを再現するものである。
【発明の効果】
【０００９】
本発明に係るプラント監視制御システムによれば、第１の監視制御装置において第１の表示部と第１の入力手段により第２の表示部の表示レイアウトを決定し、第２の監視制御装置の第２の表示制御部は、第１の監視制御装置から通信ネットワークを介して送信されたレイアウト情報に基づいて、第２の表示部の表示レイアウトを再現するようにしたので、第２の表示部が離れた場所にある場合でも、オペレータの手元にある第１の監視制御装置の表示部で容易に表示レイアウトを決定することができ、また、表示レイアウトを保存し、繰り返し再現することも可能である。これにより、オペレータの負担が軽減し、プラント監視効率が向上する効果が得られる。
【図面の簡単な説明】
【００１０】
【図１】本発明の実施の形態１に係るプラント監視制御システムを示す概略図である。
【図２】本発明の実施の形態１に係るプラント監視制御システムを示すブロック図である。
【図３】本発明の実施の形態１に係るプラント監視制御装置の表示部と大画面プラント監視制御装置の大画面表示部を示す図である。
【図４】本発明の実施の形態１に係るプラント監視制御装置において大画面表示部の表示レイアウトを決定する処理の流れを示す図である。
【図５】本発明の実施の形態１に係るプラント監視制御装置の表示部を示す図である。
【図６】本発明の実施の形態１に係るプラント監視制御装置において大画面表示部の表示レイアウトを保存する処理の流れを示す図である。
【図７】本発明の実施の形態１に係るプラント監視制御装置の表示部を示す図である。
【図８】本発明の実施の形態１に係るプラント監視制御装置において格納された大画面表示部の表示レイアウトを再現する処理の流れを示す図である。
【図９】本発明の実施の形態２に係るプラント監視制御装置の表示部と大画面プラント監視制御装置の大画面表示部を示す図である。
【図１０】本発明の実施の形態２に係る大画面プラント監視制御装置において決定した表示レイアウトをプラント監視制御装置に保存する処理の流れを示す図である。
【図１１】本発明の実施の形態３に係る大画面プラント監視制御装置において前回起動時の最後の表示レイアウトを再起動時に再現する処理の流れを示す図である。
【図１２】本発明の実施の形態４に係るプラント監視制御装置の表示部を示す図である。
【図１３】本発明の実施の形態４に係るプラント監視制御装置においてウィンドウ内のコンテンツの表示サイズを含むレイアウト情報を格納する処理の流れを示す図である。
【図１４】本発明の実施の形態４に係るプラント監視制御装置の表示部を示す図である。
【図１５】本発明の実施の形態４に係るプラント監視制御装置においてウィンドウ内のコンテンツの位置を含むレイアウト情報を格納する処理の流れを示す図である。
【発明を実施するための形態】
【００１１】
実施の形態１．
以下に、本発明の実施の形態１に係るプラント監視制御システムについて、図面に基づいて説明する。図１及び図２は、本実施の形態１に係るプラント監視制御システムを示す概略図及びブロック図である。なお、図中、同一部分には同一符号を付している。本実施の形態１に係るプラント監視制御システムは、複数のプラント監視制御装置１、２、及びプラント情報処理装置３ａ、３ｂがプラント制御バス４を介して互いに接続され、双方向での情報及び制御指令の伝達を実現している。なお、図１及び図２では、プラント監視制御装置とプラント情報処理装置を各２台示しているが、それらの台数は限定されるものではない。
【００１２】
プラント情報処理装置３ａ、３ｂは、モータ、ポンプ、弁、または計測機器等のプラント機器（図示せず）から計測データまたは状態データ等のプラントデータを取得し、プラント機器を制御する。プラント情報処理装置３ａ、３ｂが取得したプラントデータは、プラント制御バス４を介してプラント監視制御装置１、２に送信される。プラント監視制御装置１、２は、取得したプラントデータに基づいてプラント機器の運転状態やプロセス量を監視し、必要に応じた制御指示をプラント情報処理装置３ａ、３ｂに対して送信する。
【００１３】
本実施の形態１に係るプラント監視制御システムは、第１の監視制御装置であるプラント監視制御装置１と、第２の監視制御装置である大画面プラント監視制御装置２（以下、大画面装置２と略す）を備えている。プラント監視制御装置１は、通常のモニタサイズの表示部（第１の表示部）１１を有している。
【００１４】
一方、大画面装置２は、表示部１１よりも面積の大きい大画面表示部（第２の表示部）２１を有している。大画面表示部２１は、例えば大型プロジェクターであり、監視対象が広範囲に点在する場合や、監視施設の統合、集約により大量の情報を監視する場合に用いられ、多くのプラント運転員が情報を共有できるようにしたものである。プラント監視制御装置１と大画面装置２は、図２に示すように、通信ネットワークである情報ＬＡＮ５を介して互いに接続されている。
【００１５】
プラント監視制御装置１は、図２に示すように、表示部１１を制御する表示制御部（第１の表示制御部）１２と、プラント情報処理装置３ａ、３ｂから取得したプラントデータの処理や表示制御部１２からの指令に基づく処理を実施するデータ処理部（ＣＰＵ）１３と、プラント情報処理装置３ａ、３ｂから取得したプラントデータあるいはデータ処理部１３で処理されたデータを蓄積するデータ格納部１４を備えている。
【００１６】
また、プラント監視制御装置１は、大画面装置２の大画面表示部２１の表示レイアウト、すなわち画面の種類とその画面におけるウィンドウの配置及びサイズを、表示部１１において決定するための第１の入力手段として、マウス（図示せず）を備えている。
【００１７】
さらに、表示制御部１２は、表示部１１において決定された大画面表示部２１の表示レイアウトに関するレイアウト情報を取得するレイアウト情報取得部（第１のレイアウト情報取得部）１２１を備えている。また、データ格納部１４は、レイアウト情報取得部１２１が取得したレイアウト情報を格納するレイアウト情報格納部（第１のレイアウト情報格納部）１４１を備えている。
【００１８】
また、大画面装置２は、大画面表示部２１を制御する表示制御部（第２の表示制御部）２２と、プラント情報処理装置３ａ、３ｂから取得したプラントデータの処理や表示制御部２２からの指令に基づく処理を実施するデータ処理部（ＣＰＵ）２３と、プラント情報処理装置３ａ、３ｂから取得したプラントデータあるいはデータ処理部２３で処理されたデータを蓄積するデータ格納部２４を備えている。
【００１９】
表示制御部２２は、プラント監視制御装置１から情報ＬＡＮ５を介して送信されたレイアウト情報に基づいて、大画面表示部２１の表示レイアウトを再現する機能を有する。また、表示制御部２２は、大画面表示部２１の表示レイアウトに関するレイアウト情報を取得するレイアウト情報取得部（第２のレイアウト情報取得部）２２１を備えている。データ格納部２４は、大画面表示部２１の表示レイアウトに関するレイアウト情報を格納するレイアウト情報格納部（第２のレイアウト情報格納部）２４１を備えている。
【００２０】
なお、プラント監視制御装置１及び大画面装置２はいずれも、プラント制御バス４または情報ＬＡＮ５と接続するためのインタフェースを各々備えているが、図示を省略している。また、図２では、レイアウト情報取得部１２１、２２１をそれぞれ表示制御部１２、２２の中に設けたが、これに限定されるものではなく、例えばデータ処理部１３、２３の中に設けても良い。
【００２１】
次に、本実施の形態１に係るプラント監視制御システムにおいて、大画面表示部２１の表示レイアウトを決定する処理の流れについて、図３及び図４を用いて説明する。なお、図３は、表示部１１と大画面表示部２１の画面を示している。まず、図４のフローチャートのステップ１０（Ｓ１０）において、オペレータは、プラント監視制御装置１の表示部１１の画面上で、大画面表示部２１に表示する画面の種類と、その画面におけるウィンドウの配置及びサイズをマウス操作で決定する。このＳ１０では、図３に示すように、表示部１１の画面上に複数のウィンドウ１ｕ、１ｖ、・・・１ｚが所望の位置及びサイズで表示されている。
【００２２】
次に、ステップ２０（Ｓ２０）において、プラント監視制御装置１の表示制御部１２は、レイアウト情報取得部１２１により、表示部１１に表示されている画面のＩＤである画面番号、ウィンドウの座標値（矩形の開始点と終了点）をレイアウト情報として取得する。続いてステップ３０（Ｓ３０）において、オペレータは、プラント監視制御装置１の表示部１１の画面上で、「転送」ボタンをマウス操作で選択する。なお、図３では、「転送」ボタンをＡで示している。
【００２３】
これにより、ステップ４０（Ｓ４０）において、プラント監視制御装置１は、Ｓ２０で取得したレイアウト情報を、情報ＬＡＮ５を介して大画面装置２に送信する。次に、ステップ５０（Ｓ５０）では、大画面装置２の表示制御部２２は、レイアウト情報取得部２２１により、プラント監視制御装置１から送信されてきたレイアウト情報を取得する。続いてステップ６０（Ｓ６０）において、大画面装置２は、取得したレイアウト情報に基づいて大画面表示部２１の表示レイアウトを再現する。このＳ６０において、図３に示すように、大画面表示部２１には表示部１１の表示レイアウトが再現され、複数のウィンドウ２ｕ、２ｖ、・・・２ｚが所望の位置及びサイズで表示される。
【００２４】
なお、大画面表示部２１の表示レイアウトを決定した後、プラント監視制御装置１は、その表示レイアウトに関連するレイアウト情報をレイアウト情報格納部１４１に格納する。これにより、必要に応じて格納したレイアウト情報を呼び出し、再現することが可能である。
【００２５】
本実施の形態１に係るプラント監視制御装置１において、大画面表示部２１の表示レイアウトを決定し、そのレイアウト情報を保存する処理の流れについて、図５及び図６を用いて説明する。図５は表示部１１の画面を示している。なお、図６のフローチャートのＳ１０、Ｓ２０は、図４と同じ処理であるので説明を省略する。ステップ２１（Ｓ２１）において、オペレータは、プラント監視制御装置１の表示部１１の画面上で、「保存」ボタンをマウス操作で選択する。図５では、「保存」ボタンをＢで示している。
【００２６】
これにより、ステップ２２（Ｓ２２）において、プラント監視制御装置１のレイアウト情報格納部１４１は、大画面表示部２１のレイアウト情報を、例えば画面番号等の画面ＩＤをファイル名として保存し、処理が終了する。
【００２７】
次に、本実施の形態１に係るプラント監視制御装置１において、レイアウト情報格納部１４１に格納されたレイアウト情報を呼び出し、表示部１１に再現する処理の流れについて、図７及び図８を用いて説明する。図７は表示部１１の画面を示している。図８のフローチャートのステップ２３（Ｓ２３）において、オペレータは、プラント監視制御装置１の表示部１１の画面上で、「再生」ボタンをマウス操作で選択する。図７では、「再生」ボタンをＣで示している。
【００２８】
これにより、ステップ２４（Ｓ２４）において、プラント監視制御装置１のレイアウト情報格納部１４１に格納されている大画面表示部２１のレイアウト情報のリストが、プルダウンメニューに表示される。図７ではプルダウンメニューをＤで示している。続いてステップ２５（Ｓ２５）において、オペレータは、プルダウンメニューの中から再生するレイアウト情報のリストをマウスで選択する。
【００２９】
続いてステップ２６（Ｓ２６）では、レイアウト情報格納部１４１は、選択されたレイアウト情報、すなわち画面番号、ウィンドウの座標値等を表示制御部１２に提供する。これにより、ステップ２７（Ｓ２７）において、表示制御部１２は、取得したレイアウト情報に基づいて表示部１１に表示レイアウトを再現する。
【００３０】
以上のように、本実施の形態１に係るプラント監視制御システムによれば、プラント監視制御装置１において表示部１１とマウスにより大画面表示部２１の表示レイアウトを決定し、大画面装置２の表示制御部２２は、プラント監視制御装置１から情報ＬＡＮ５を介して送信されたレイアウト情報に基づいて、大画面表示部２１の表示レイアウトを再現するようにしたので、大画面表示部２１が離れた場所にある場合でも、オペレータの手元にあるプラント監視制御装置１の表示部１１で、容易に表示レイアウトを決定することができる。また、表示レイアウトを保存し、繰り返し再現することも可能である。これにより、従来のように大画面表示部２１のレイアウト作業を繰り返し行う手間が省け、オペレータの負担が軽減し、プラント監視効率が向上する効果が得られる。
【００３１】
実施の形態２．
本発明の実施の形態２に係るプラント監視制御システムの全体構成は、上記実施の形態１と同様であるので図２を流用して説明する。上記実施の形態１では、プラント監視制御装置１の表示部１１で大画面表示部２１の表示レイアウトを決定し、そのレイアウト情報を大画面装置２へ送信し大画面表示部２１で再現する機能について説明した。本実施の形態２では、大画面装置２で大画面表示部２１のレイアウトを決定し、そのレイアウト情報をプラント監視制御装置１に書き戻す機能について説明する。
【００３２】
本実施の形態２に係る大画面装置２は、大画面表示部２１の表示レイアウトを大画面表示部２１において決定するための第２の入力手段であるマウス（図示せず）を備えている。大画面表示部２１の表示レイアウトを大画面表示部２１において直接決定または変更した場合、当該表示レイアウトに関するレイアウト情報は、情報ＬＡＮ５を介してプラント監視制御装置１に送信される。プラント監視制御装置１は、大画面装置２から受信したレイアウト情報をレイアウト情報格納部１４１に格納する。
【００３３】
本実施の形態２に係る大画面装置２において大画面表示部２１で決定した表示レイアウトのレイアウト情報を、プラント監視制御装置１に保存する処理の流れについて、図９及び図１０を用いて説明する。図９は、表示部１１と大画面表示部２１の画面を示している
。まず、図１０のフローチャートのステップ５１（Ｓ５１）において、オペレータは、大画面装置２の大画面表示部２１の画面上で、画面の種類と、その画面におけるウィンドウの配置及びサイズをマウス操作で決定する。このＳ５１では、図９に示すように、大画面表示部２１の画面上に複数のウィンドウ２ｕ、２ｖ、・・・２ｚが所望の位置及びサイズで表示されている。
【００３４】
次に、ステップ５２（Ｓ５２）では、大画面装置２の表示制御部２２は、レイアウト情報取得部２２１により、大画面表示部２１に表示されている画面のＩＤである画面番号、ウィンドウの座標値（矩形の開始点と終了点）をレイアウト情報として取得する。続いてステップ５３（Ｓ５３）において、オペレータは、大画面表示部２１の画面上で、マウスの右ボタンクリックにより呼び出したプルダウンメニューから「転送」ボタンをマウス操作で選択する。図９では、プルダウンメニューをＥで示し、「転送」ボタンをＦで示している。
【００３５】
これにより、ステップ５４（Ｓ５４）において、大画面装置２は、Ｓ５２で取得したレイアウト情報を、情報ＬＡＮ５を介してプラント監視制御装置１に送信する。次に、ステップ５５（Ｓ５５）において、プラント監視制御装置１のレイアウト情報格納部１４１は、大画面装置２から送信されたレイアウト情報を保存する。
【００３６】
本実施の形態２によれば、上記実施の形態１と同様の効果に加え、大画面装置２で大画面表示部２１の表示レイアウトを決定し、そのレイアウト情報をプラント監視制御装置１に書き戻すことができるため、さらに操作が容易となり作業性が向上する。
【００３７】
実施の形態３．
本発明の本実施の形態３に係るプラント監視制御システムの全体構成は、上記実施の形態１と同様であるので図２を流用して説明する。本実施の形態３では、大画面装置２を再起動した際に、前回起動時の最後に表示されていた表示レイアウトで初期表示する機能について説明する。
【００３８】
本実施の形態３に係る大画面装置２は、前回起動時の最後に大画面表示部２１に表示されていた表示レイアウトに関するレイアウト情報をレイアウト情報格納部２４１に格納しており、再起動時には、当該レイアウト情報に基づいて大画面表示部２１の表示レイアウトを再現するものである。
【００３９】
本実施の形態３に係る大画面装置２において、前回起動時の最後の表示レイアウトを再起動時に再現する処理の流れについて、図１１を用いて説明する。なお、図１１のフローチャートのＳ５１、Ｓ５２は、図１０と同じ処理であるので説明を省略する。ステップ５６（Ｓ５６）において、大画面装置２のレイアウト情報格納部２４１は、表示制御部２２のレイアウト情報取得部２２１が取得したレイアウト情報を自動的に保存する。ここで、大画面装置２の起動を終了する。次に、ステップ５７（Ｓ５７）において大画面装置２を再起動すると、ステップ５８（Ｓ５８）において、大画面装置２の表示制御部２２は、最後に保存されたレイアウト情報に基づいて表示レイアウトを再現する。
【００４０】
本実施の形態３によれば、上記実施の形態１及び実施の形態２と同様の効果に加え、大画面装置２を再起動した際に、前回起動時の最後に表示されていた表示レイアウトを再現することができるため、さらに操作が容易となり作業性が向上する。
【００４１】
実施の形態４．
本発明の実施の形態４に係るプラント監視制御システムの全体構成は、上記実施の形態１と同様であるので図２を流用して説明する。本実施の形態４では、レイアウト情報とし
て、画面番号及びウィンドウの座標値に加え、ウィンドウ内のコンテンツの表示サイズ（拡大、縮小率）及び表示位置を含むものである。
【００４２】
本実施の形態４に係るプラント監視制御装置１において、ウィンドウ内のコンテンツの表示サイズ（拡大、縮小率）を含むレイアウト情報を格納する処理の流れについて、図１２及び図１３を用いて説明する。図１２は、表示部１１の画面を示している。まず、図１３のフローチャートのＳ１０において、オペレータは、プラント監視制御装置１の表示部１１の画面上で、大画面表示部２１に表示する画面の種類と、その画面におけるウィンドウの配置及びサイズをマウス操作で決定する。
【００４３】
続いてステップ１１（Ｓ１１）において、オペレータは、プラント監視制御装置１の表示部１１の画面上で、マウスの右ボタンクリックにより呼び出したプルダウンメニューから拡大、縮小率をマウス操作で選択する。図１２では、プルダウンメニューをＧで示し、縮小率ボタンをＨで示している。次に、ステップ１２（Ｓ１２）では、プラント監視制御装置１の表示制御部１２は、レイアウト情報取得部１２１により、表示部１１に表示されている画面のＩＤである画面番号、画面の拡大、縮小率、ウィンドウの座標値（矩形の開始点と終了点）を、レイアウト情報として取得する。
【００４４】
続いてステップ１３（Ｓ１３）において、オペレータは、プラント監視制御装置１の表示部１１の画面上で、「保存」ボタンをマウス操作で選択する。図１２では、「保存」ボタンをＢで示している。これにより、ステップ１４（Ｓ１４）において、プラント監視制御装置１のレイアウト情報格納部１４１は、大画面表示部２１のレイアウト情報を保存し、処理が終了する。
【００４５】
次に、本実施の形態４に係るプラント監視制御装置１において、ウィンドウ内のコンテンツの表示位置を含むレイアウト情報を格納する処理の流れについて、図１４及び図１５を用いて説明する。図１４は、表示部１１の画面を示している。まず、図１４のフローチャートのＳ１０において、オペレータは、プラント監視制御装置１の表示部１１の画面上で、大画面表示部２１に表示する画面の種類と、その画面におけるウィンドウの配置及びサイズをマウス操作で決定する。
【００４６】
続いてステップ１５（Ｓ１５）において、オペレータは、プラント監視制御装置１の表示部１１の画面上でスクロールバーを調整し、画面内コンテンツの表示位置をマウス操作で決定する。図１４では、スクロールバーをＪで示している。次に、ステップ１６（Ｓ１６）では、プラント監視制御装置１の表示制御部１２は、レイアウト情報取得部１２１により、表示部１１に表示されている画面のＩＤである画面番号、スクロールバーの位置、ウィンドウの座標値（矩形の開始点と終了点）を、レイアウト情報として取得する。
【００４７】
続いてステップ１７（Ｓ１７）において、オペレータは、プラント監視制御装置１の表示部１１の画面上で、「保存」ボタンをマウス操作で選択する。図１４では、「保存」ボタンをＢで示している。これにより、ステップ１８（Ｓ１８）において、プラント監視制御装置１のレイアウト情報格納部１４１は、大画面表示部２１のレイアウト情報を保存し、処理が終了する。
【００４８】
なお、図１３及び図１５のフローチャートでは、ウィンドウ内のコンテンツの表示サイズ（拡大、縮小率）と表示位置（スクロールバーの位置）を別々にレイアウト情報格納部１４１に格納したが、これらは同時に格納することもできる。また、コンテンツの表示サイズと表示位置は、レイアウト情報に必ずしも両方含まれている必要はなく、いずれか一方であってもよい。
【００４９】
以上のように、本実施の形態４によれば、上記実施の形態１〜実施の形態３と同様の効果に加え、レイアウト情報としてウィンドウ内のコンテンツの表示サイズ及び表示位置を含むようにしたので、レイアウト情報に基づいて大画面表示部２１の表示レイアウトを再現する際に、ウィンドウ内のコンテンツまで正確に再現することができ、さらに操作が容易となり作業性が向上する。なお、本発明は、その発明の範囲内において、各実施の形態を自由に組み合わせたり、各実施の形態を適宜、変形、省略したりすることが可能である。
【産業上の利用可能性】
【００５０】
本発明は、大画面モニタを有するプラント監視制御装置を備えたプラント監視制御システムに利用することができる。
【符号の説明】
【００５１】
１  プラント監視制御装置（第１の監視制御装置）、
２  大画面プラント監視制御装置（第２の監視制御装置）、
３ａ、３ｂ  プラント情報処理装置、４  プラント制御バス、５  情報ＬＡＮ、
１１  表示部、２１  大画面表示部、１２、２２  表示制御部、
１３、２３  データ処理部、１４、２４  データ格納部、
１２１、２２１  レイアウト情報取得部、１４１、２４１  レイアウト情報格納部。
【図１】
2014102601.tif 000003
【図２】
2014102601.tif 000004
【図３】
2014102601.tif 000005
【図４】
2014102601.tif 000006
【図５】
2014102601.tif 000007
【図６】
2014102601.tif 000008
【図７】
2014102601.tif 000009
【図８】
2014102601.tif 000010
【図９】
2014102601.tif 000011
【図１０】
2014102601.tif 000012
【図１１】
2014102601.tif 000013
【図１２】
2014102601.tif 000014
【図１３】
2014102601.tif 000015
【図１４】
2014102601.tif 000016
【図１５】
2014102601.tif 000017